(57)【要約】【課題】  冷却器上端が棚より上方に来るショーケースにおいて、棚ダクトへの冷気導入を支障無く行えるようにした。【解決手段】  ショーケース１は、前面に開口する陳列室７内に商品陳列用の棚２４を架設すると共に、この棚２４には棚ダクト２６を形成し、陳列室７後方に形成された冷気ダクト６内を上昇する冷気を棚ダクト２６に導入して当該棚下方の陳列室７内に吐出可能とされたものであって、冷気ダクト６内に配設され、上端が棚ダクト２６より上方に位置する冷却器１３と、この冷却器１３上方の冷気ダクト６と棚ダクト２６とを連通する連通路２９と、冷却器１３の上方に設けられ、冷気ダクト６を開閉するためのダンパー３３とを備えた。【選択図】図２
2005156034.tif 000002
【特許請求の範囲】
【請求項１】
前面に開口する陳列室内に商品陳列用の棚を架設すると共に、該棚には棚ダクトを形成し、前記陳列室後方に形成された冷気ダクト内を上昇する冷気を前記棚ダクトに導入して当該棚下方の前記陳列室内に吐出可能とされたショーケースにおいて、
前記冷気ダクト内に配設され、上端が前記棚ダクトより上方に位置する冷却器と、
該冷却器上方の前記冷気ダクトと前記棚ダクトとを連通する連通路と、
前記冷却器の上方に設けられ、前記冷気ダクトを開閉するためのダンパーとを備えたことを特徴とするショーケース。
【請求項２】
前記棚には電気ヒータを設けたことを特徴とする請求項１のショーケース。
【請求項３】
前記冷却器上方の前記冷気ダクト内に設けられ、当該冷気ダクトの冷気通路を閉塞する面積を有し、且つ、冷気流通用の透孔が左右に渡って複数形成された受け部材を備え、
前記ダンパーは左右に渡って設けられ、前後に移動して前記各透孔を開閉することを特徴とする請求項１又は請求項２のショーケース。
【請求項４】
前記陳列室の背面に臨む摘みと、該摘みの左右方向への移動に伴い、前記ダンパーを前後方向に移動させるリンク機構を備えることを特徴とする請求項３のショーケース。
【請求項５】
前記ダンパーが前側に移動した状態及び後側に移動した状態を保持する保持手段を備えることを特徴とする請求項３又は請求項４のショーケース。
【請求項６】
前記ダンパーが前側に移動した状態及び後側に移動した状態で当該ダンパーの姿勢を規制する規制手段を備えることを特徴とする請求項３、請求項４又は請求項５のショーケース。
【発明の詳細な説明】
【技術分野】
【０００１】
本発明は、陳列室内に架設した棚に棚ダクトを形成したショーケースに関するものである。
【背景技術】
【０００２】
従来より缶飲料やペットボトル入り飲料、ドリンク剤等を陳列販売するショーケースは、前面に開口する陳列室内に商品陳列用の棚を架設し、この棚には電気ヒータを取り付けると共に、棚下面には棚ダクトを形成している。そして、例えば棚より上方の加温使用とし、下方の冷却使用とする場合には、陳列室の後方に形成された冷気ダクトより冷気を棚ダクトに導入し、棚下方の陳列室内に吐出すると共に、電気ヒータを発熱させて、棚上方の陳列室内を加温し、下方は冷却する方式が採られていた。
【０００３】
また、係る棚ダクトへの冷気の導入は、棚から後方に延在するダンパーによって冷気ダクトを開閉することにより行っていた（例えば、特許文献１参照）。
【特許文献１】特開２０００−２５８０３１号公報
【発明の開示】
【発明が解決しようとする課題】
【０００４】
このような加温／冷却切換式（ＨＯＴ＆ＣＯＬＤと称される）のショーケースにおいて、設置スペース上の問題から製品高さを縮小しようとする場合、冷却器を陳列室下方に設けることができなくなり、陳列室後方の前記冷気ダクト内に縦設されることになる。そして、冷気はこの冷却器に下から上へ通風されることになるが、所要の冷却能力を得るには相応の寸法の冷却器が必要となるため、冷却器の高さは棚より上方まで延在することになる。
【０００５】
そのため、従来の如く棚後方に延在するダンパーによって冷気を棚ダクトに導入するものでは、冷却器の上端より低い位置にある棚には冷気を導入できなくなると云う問題が生じていた。
【０００６】
本発明は、係る従来の技術的課題を解決するために成されたものであり、冷却器上端が棚より上方に来るショーケースにおいて、棚ダクトへの冷気導入を支障無く行えるようにしたものである。
【課題を解決するための手段】
【０００７】
本発明のショーケースは、前面に開口する陳列室内に商品陳列用の棚を架設すると共に、この棚には棚ダクトを形成し、陳列室後方に形成された冷気ダクト内を上昇する冷気を棚ダクトに導入して当該棚下方の陳列室内に吐出可能とされたものであって、冷気ダクト内に配設され、上端が棚ダクトより上方に位置する冷却器と、この冷却器上方の冷気ダクトと棚ダクトとを連通する連通路と、冷却器の上方に設けられ、冷気ダクトを開閉するためのダンパーとを備えたことを特徴とする。
【０００８】
請求項２の発明のショーケースは、上記において棚には電気ヒータを設けたことを特徴とする。
【０００９】
請求項３の発明のショーケースは、上記各発明において冷却器上方の冷気ダクト内に設けられ、当該冷気ダクトの冷気通路を閉塞する面積を有し、且つ、冷気流通用の透孔が左右に渡って複数形成された受け部材を備え、ダンパーは左右に渡って設けられ、前後に移動して各透孔を開閉することを特徴とする。
【００１０】
請求項４の発明のショーケースは、上記において陳列室の背面に臨む摘みと、この摘みの左右方向への移動に伴い、ダンパーを前後方向に移動させるリンク機構を備えることを特徴とする。
【００１１】
請求項５の発明のショーケースは、請求項３又は請求項４においてダンパーが前側に移動した状態及び後側に移動した状態を保持する保持手段を備えることを特徴とする。
【００１２】
請求項６の発明のショーケースは、請求項３、請求項４又は請求項５においてダンパーが前側に移動した状態及び後側に移動した状態で当該ダンパーの姿勢を規制する規制手段を備えることを特徴とする。
【発明の効果】
【００１３】
本発明によれば、前面に開口する陳列室内に商品陳列用の棚を架設すると共に、この棚には棚ダクトを形成し、陳列室後方に形成された冷気ダクト内を上昇する冷気を棚ダクトに導入して当該棚下方の陳列室内に吐出可能とされたショーケースにおいて、冷気ダクト内に配設され、上端が棚ダクトより上方に位置する冷却器と、この冷却器上方の冷気ダクトと棚ダクトとを連通する連通路と、冷却器の上方に設けられ、冷気ダクトを開閉するためのダンパーとを備えているので、ダンパーによって冷気ダクトを閉じれば、冷却器上方の冷気ダクトから連通路を経て棚ダクトに冷気を導入することができるようになる。
【００１４】
これにより、冷却器上端が棚ダクトよりも上方に来る場合にも、支障無く棚ダクトに冷気を導入して棚下方の陳列室内に吐出することができるようになるものである。
【００１５】
請求項２の発明によれば、上記に加えて棚には電気ヒータを設けたので、ダンパーにより冷気ダクトを閉じて棚ダクトから棚下方の陳列室内に冷気を吐出する状態で電気ヒータに通電することにより、棚上方の陳列室内を加温使用、棚下方の陳列室内を冷却使用とすることができるようになる。これにより、一台のショーケースで商品を温／冷販売可能となり、汎用性が向上する。
【００１６】
請求項３の発明によれば、上記各発明に加えて冷却器上方の冷気ダクト内に設けられ、当該冷気ダクトの冷気通路を閉塞する面積を有し、且つ、冷気流通用の透孔が左右に渡って複数形成された受け部材を備え、ダンパーは左右に渡って設けられ、前後に移動して各透孔を開閉するようにしたので、ダンパーにより透孔を開いた状態では、冷気は左右に渡って複数形成された透孔を通って冷気ダクト内を均一に流れるようになる。そして、ダンパーにて透孔を閉じた状態では、当該透孔からの冷気漏れを効果的に防止できるようになる。これにより、棚上方に冷気を供給する際の冷却性能を悪化させること無く、棚下方にのみ冷気を吐出する際に、ダンパーによって確実に冷気ダクトを閉塞し、棚上下における陳列室内の温度を的確に管理することが可能となるものである。
【００１７】
請求項４の発明によれば、上記に加えて陳列室の背面に臨む摘みと、この摘みの左右方向への移動に伴い、ダンパーを前後方向に移動させるリンク機構を備えているので、ダンパーにより冷気ダクトを開閉する際の操作性が著しく向上するものである。
【００１８】
請求項５の発明によれば、請求項３又は請求項４の発明に加えてダンパーが前側に移動した状態及び後側に移動した状態を保持する保持手段を備えているので、不用意なダンパーの動作を防止して、冷気ダクトの開／閉状態を安定的に維持することができるようになるものである。
【００１９】
請求項６の発明によれば、請求項３、請求項４又は請求項５の発明に加えてダンパーが前側に移動した状態及び後側に移動した状態で当該ダンパーの姿勢を規制する規制手段を備えているので、ダンパーの姿勢が不安定となって透孔から冷気が漏れてしまう不都合を回避することができるようになるものである。
【発明を実施するための最良の形態】
【００２０】
以下、図面に基づき本発明の実施形態を詳述する。図１は本発明を適用したショーケース１の正面図、図２はショーケース１の縦断側面図をそれぞれ示している。実施例のショーケース１は、スーパーマーケットやコンビニエンスストア等の店舗において、缶飲料やペットボトル入り飲料、ドリンク剤等を陳列販売するためのものであり、前面に開口する断面コ字状の断熱壁２により本体が構成されている。
【００２１】
この断熱壁２の内側には間隔を存して仕切板３が配設され、更にこの仕切板３の下端には断熱壁２の底壁と間隔を存してデッキパン４が設けられている。そして、これら仕切板３とデッキパン４と断熱壁２との間に一連の冷気ダクト６が構成されると共に、仕切板３及びデッキパン４の内側に前面に開口する陳列室７が構成されている。尚、８、８は側面ガラスであり、断熱壁２の両側に取り付けられる。
【００２２】
陳列室７の前面開口の上縁には冷気吐出口９が構成され、下縁には冷気吸込口１１が構成されており、これらは前記冷気ダクト６と連通している。また、デッキパン４の下方の冷気ダクト６内には送風機１２が配設されると共に、陳列室７の後方の冷気ダクト６内には冷却装置の冷媒回路を構成する冷却器１３が縦設されている。そして、送風機１２が運転されると、冷却器１３と熱交換した冷気が陳列室７後方の冷気ダクト６内を下から上に吹き上げられ、開口上縁の冷気吐出口９から陳列室７内に吐出される。そして、この陳列室７の前面開口に冷気エアーカーテンを形成しながら陳列室７内を冷却した後、冷気吸込口１１から冷気ダクト６内の送風機１２に吸い込まれることになる。
【００２３】
一方、断熱壁２の下方には機械室１４が構成されており、この機械室１４には冷却装置の冷媒回路を構成する圧縮機１６や凝縮器１７、凝縮器用送風機１８が設置されている。尚、図２における１９はナイトカバー、２１は蛍光灯である。
【００２４】
他方、前記陳列室７内には商品陳列用の棚２４が複数段（実施例では３段）架設されている。各棚２４・・は前後に引出自在とされており（図２に引き出した状態を破線で示す）、更に、最上段の棚２４及び中央の棚２４の下面には棚ダクト２６がそれぞれ形成されている。この棚ダクト２６の前端は陳列室７の前面開口部に位置する棚下冷気吐出口２７において斜め下方に向けて開口しており、後端は仕切板３の後側に開口している。また、各棚２４・・には図示しない電気ヒータが取り付けられている。尚、図２の２５は最上段の棚２４前端に立設された透明ガードである。
【００２５】
この場合、冷却器１３の下端はデッキパン４の下側に位置し、上端は中央の棚２４（及び棚ダクト２６）よりも上方まで延在している。また、冷却器１３の前面は仕切板３と間隔を存しており、当該冷却器１３の前面は閉塞板２８にて閉塞されている。そして、この閉塞板２８と仕切板３の間に連通路２９が構成される。前記中央の棚２４の棚ダクト２６後端は閉塞板２８前方の仕切板３の後側に開口しており、これにより、連通路２９は冷却器１３上方の冷気ダクト６内と中央の棚２４の棚ダクト２６とを連通している。
【００２６】
そして、最上段の棚２４の上側の位置、及び、冷却器１３上端より上であってその上方の最上段の棚２４の棚ダクト２６よりしたの位置の冷気ダクト６内にはダンパー装置３１、３１がそれぞれ設けられている。このダンパー装置３１の構造及び動作を図３乃至６を参照して詳述する。図３及び図４はダンパー装置３１部分のショーケース１の拡大断面図を示しており、図５はダンパー装置３１部分の拡大斜視図、図６はその分解斜視図を示している。
【００２７】
ダンパー装置３１は、受け部材３２と、ダンパー３３、リンク機構３４及び摘み３６などから構成されている。この場合、受け部材３２は陳列室７後方の冷気ダクト６の冷気通路を閉塞する面積を有して当該冷気ダクト６内に取り付けられており、前側の低位部３２Ａと後側の高位部３２Ｂから成る階段状を呈している。そして、この受け部材３２の高位部３２Ｂ後部には、冷気流通用の透孔３７・・・が冷気ダクト６の全幅に渡って複数穿設されている。また、受け部材３２の左右端には高位部３２Ｂの上側に所定の間隔を存して対向する爪３２Ｃ（これも規制手段を構成する）が切り起こし形成されている。
【００２８】
前記ダンパー３３は受け部材３２の略全幅に渡る幅寸法と受け部材３２の略半分の前後寸法有した板材であり、受け部材３２上に前後移動自在に配置されて透孔３７・・・を開閉する。この場合、ダンパー３３の左右端には縦壁３３Ａが起立形成されており、この縦壁３３Ａは前記受け部材３２の爪３２Ｃの下側に位置する。これによって、ショーケース１の搬送中などにダンパー３３が受け部材３２から外れることを防止している。また、ダンパー３３の左右端には前方に突出する突出辺３３Ｂ（規制手段を構成する）が形成されている。更に、この突出辺３３Ｂ、３３Ｂ間のダンパー３３の前縁は上側にコ字状に折り返されており、折り返された上面の略中央部にはカラー部を有するネジ３９が取り付けられる。
【００２９】
前記リンク機構３４は上面が広い断面略コ字状（後方に向いたコ字状）を呈しており、その前面及び下面には樹脂材４１が宛われて取り付けられる。リンク機構３４の上面には向かって右端が奥方となり、左端で手前になる連続した溝３４Ａが切欠形成されており、前記ネジ３９はこの溝３４Ａ内に移動自在に係合するよう上から挿入され、ダンパー３３に螺合される。また、リンク機構３４の前面中央にはカラー４２が前方に向けて設けられ、後面からこのカラー４２を貫通してネジ４３が前方に突出して取り付けられる。
【００３０】
一方、ダンパー装置３１、３１に対応する位置の仕切板３には溝４４、４４が切欠形成されている。この溝４４は左右に渡って形成され、その左右端は下側に降下して保持部４４Ａ、４４Ｂ（保持手段）とされている。そして、前記カラー４２はこの溝４４内に移動自在に挿通され、前記摘み３６はカラー４２から突出するネジ４３に螺合して仕切板３前側の陳列室７背面に臨んでいる。
【００３１】
（１）全体を冷却する全冷却使用状態
以上の構成で、陳列室７全体を冷却使用する場合には、上下のダンパー装置３１、３１の摘み３６を向かって右に移動させ、カラー４２を右端の保持部４４Ｂに落ち込ませる（図３）。尚、図３はカラー４２が保持部４４Ｂに落ち込んだ状態であり、この状態では樹脂材４１は受け部材３２の低位部３２Ａ上面に当接しているが、摘み３６を移動している間、即ち、カラー４２が保持部４４Ａ、４４Ｂ以外の溝４４にある間はリンク機構は持ち上げられた状態となり、樹脂材４１は低位部３２Ａ上方に浮くかたちとなる。摘み３６が右端に移動したことにより、リンク機構３４は右方に移動するので、ネジ３９は溝３４Ａの左端に移動する（図３、図５）。そして、溝３４Ａの左端は手前にあるので、ダンパー３３は前方に移動し、受け部材３２の透孔３７・・・を開放する。
【００３２】
このとき、ダンパー３３の突出辺３３Ｂ、３３Ｂは仕切板３に当接するので、移動中に仮にダンパー３３が斜めになっていたとしても、前方に移動した状態で仕切板３と平行となる。従って、全ての透孔３７・・・は完全に開放される。また、カラー４２は保持部４４Ｂに落ち込んでいるので左右への移動は規制される。従って、ダンパー３３はこの状態（透孔３７を開放した状態）で不用意に左右に移動されることは無い。
【００３３】
このように上下のダンパー装置３１、３１のダンパー３３により透孔３７・・を開放した状態で、圧縮機１６が運転されると、冷却器１３が冷却作用を発揮する。そして、送風機２が運転されると、前述の如く冷却器１３と熱交換した冷気が陳列室７後方の冷気ダクト６内を下から上に吹き上げられ、冷気吐出口９から陳列室７に吐出されて冷気吸込口１１から吸い込まれるようになる。これにより、陳列室７全体は所定の温度に冷却される。尚、この場合は各棚２４の前記電気ヒータには通電しない。
【００３４】
（２）中央の棚から上方を加温し、その下方を冷却する温／冷使用状態
次に、中央の棚２４以上の陳列室７内を加温し、その下方の陳列室７、即ち、最下段の棚２４上の陳列室７内は冷却する場合には、前記（１）の状態から下のダンパー装置３１の摘み３６を向かって左に移動させ、カラー４２を左端の保持部４４Ａに落ち込ませる（図４）。尚、同様に図４はカラー４２が保持部４４Ａに落ち込んだ状態であり、この状態では樹脂材４１は受け部材３２の低位部３２Ａ上面に当接しているが、摘み３６を移動している間、即ち、カラー４２が保持部４４Ａ、４４Ｂ以外の溝４４にある間はリンク機構は持ち上げられた状態となり、樹脂材４１は低位部３２Ａ上方に浮くかたちとなる。摘み３６が左端に移動したことにより、リンク機構３４は左方に移動するので、ネジ３９は溝３４Ａの右端に移動する（図４）。そして、溝３４Ａの右端は奥方にあるので、ダンパー３３は後方に移動し、受け部材３２の透孔３７・・・を閉塞する。
【００３５】
このとき、ダンパー３３の後縁は受け部材３２の後縁で起立するフランジ３２Ｄ（規制手段を構成する）に当接するので、移動中に仮にダンパー３３が斜めになっていたとしても、後方に移動した状態で受け部材３２と平行となる。従って、全ての透孔３７・・・が完全に閉塞される。また、カラー４２は保持部４４Ａに落ち込んでいるので左右への移動は規制される。従って、ダンパー３３はこの状態（透孔３７を閉塞した状態）で不用意に左右に移動することは無い。
【００３６】
このように下のダンパー装置３１のダンパー３３により透孔３７・・を閉塞すると、陳列室７後方の冷気ダクト６は最上段の棚２４（棚ダクト２６）の下側において受け部材３２とダンパー３３により閉塞される。これにより、前述の如く冷却器１３と熱交換して上昇して来た冷気は受け部材３２及びダンパー３３に衝突して前方に向かい、連通路２９内に流入するようになる。この連通路２９内に流入した冷気は中央の棚２４の棚ダクト２６内に入り、そこを通って前端の棚下冷気吐出口２７から下方の陳列室７内に吐出される。この棚下冷気吐出口２７から吐出された冷気は、最下段の棚２４上の陳列室７内を所定の温度に冷却し、前述同様に冷気吸込口１１から吸い込まれる。
【００３７】
このように、冷却器１３上方の冷気ダクト６と棚ダクト２７とを連通する連通路２９を形成し、冷却器１３の上方にダンパー装置３１を備えているので、ダンパー装置３１によって冷気ダクト６を閉じれば、冷却器１３上方の冷気ダクト６から連通路２９を経て棚ダクト２７に冷気を導入することができるようになる。これにより、冷却器１３上端が中央の棚２４の棚ダクト２６よりも上方に来る場合にも、支障無く中央の棚２４の棚ダクト２６に冷気を導入して中央の棚２４下方の陳列室７内に吐出することができるようになる。
【００３８】
また、ダンパー装置３１を、冷気ダクト６内に設けられて冷気ダクト６の冷気通路を閉塞する面積を有し、且つ、冷気流通用の透孔３７・・が左右に渡って複数形成された受け部材３２とダンパー３３にて構成し、ダンパー３３は左右に渡って設けられ、前後に移動して各透孔３７・・を開閉するようにしているので、ダンパー３３により透孔３７・・を開いた状態では、冷気は左右に渡って複数形成された透孔３７・・を通って冷気ダクト６内を均一に流れるようになる。そして、ダンパー３３にて透孔３７・・を閉じた状態では、当該透孔３７・・からの冷気漏れを効果的に防止できるようになる。
【００３９】
これにより、中央の棚２４以上に冷気を供給する際の冷却性能を悪化させること無く、中央の棚２４下方にのみ冷気を吐出する際に、ダンパー３３によって確実に冷気ダクト６を閉塞し、当該中央の棚２４の上下における陳列室７内の温度を的確に管理することが可能となる。特に、陳列室７の背面に臨む摘み３６と、この摘み３６の左右方向への移動に伴い、ダンパー３３を前後方向に移動させるリンク機構３４を備えているので、ダンパー３３により冷気ダクト６を開閉する際の操作性が著しく向上する。
【００４０】
そして、このように中央の棚２４の棚下冷気吐出口２７から冷気を吐出する状態で、最上段の棚２４及び中央の棚２４の前記電気ヒータに通電して発熱させる。これによって、中央の棚２４以上の陳列室７内は所定の温度に加温されることになる。尚、係る電気ヒータを発熱させなければ中央の棚２４以上の陳列室７内は常温使用となる。
【００４１】
（３）最上段の棚上を加温し、その下方を冷却する温／冷使用状態
次に、最上段の棚２４上のみ加温し、その下方、即ち、中央の棚２４及び最下段の棚２４上の陳列室７内は冷却する場合には、前記（２）の状態から下のダンパー３１の摘み３６を向かって右に移動させ、カラー４２を右端の保持部４４Ｂに落ち込ませてダンパー３３を前方に移動させ、前述の如く透孔３７・・・を開放する（図３）。一方、上のダンパー装置３１の摘み３６は向かって左に移動させ、カラー４２を左端の保持部４４Ａに落ち込ませてダンパー３３を後方に移動させ、前述の如く透孔３７・・・を閉塞する（図４）。
【００４２】
このように上のダンパー装置３１のみダンパー３３によって透孔３７・・を閉塞すると、陳列室７後方の冷気ダクト６は最上段の棚２４（棚ダクト２６）の上側において受け部材３２とダンパー３３によって閉塞される。これにより、前述の如く冷却器１３と熱交換して上昇して来た冷気は下のダンパー装置３１を通過した後、上のダンパー装置３１の受け部材３２及びダンパー３３に衝突して前方に向かい、最上段の棚２４の棚ダクト２６内に入り、そこを通って前端の棚下冷気吐出口２７から下方の陳列室７内に吐出される。この棚下冷気吐出口２７から吐出された冷気は、中央の棚２４及び最下段の棚２４上の陳列室７内を所定の温度に冷却し、前述同様に冷気吸込口１１から吸い込まれる。
【００４３】
尚、下のダンパー装置３１の受け部材３２に当たって冷気の一部は前方に向かって連通路２９を通り中央の棚２４の棚ダクト２６に入って前述の如く中央の棚２４の棚下冷気吐出口２７からも吐出されるので、最上段の棚２４下方の陳列室７内は一層均一に冷却されるようになる。
【００４４】
そして、このように最上段の棚２４の棚下冷気吐出口２７から冷気を吐出する状態で、最上段の棚２４の前記電気ヒータに通電して発熱させる。これによって、最上段の棚２４上の陳列室７内は所定の温度に加温されることになる。尚、係る電気ヒータを発熱させなければ最上段の棚２４上の陳列室７内は常温使用となる。
【００４５】
（４）全体を加温する全加温使用状態
尚、陳列室７全体を加温して使用する場合には、冷却装置の圧縮機１６及び送風機１２を停止させ、各棚２４・・の前記電気ヒータに通電して発熱させる。これにより、陳列室７全体は所定の温度に加温されるようになる。
【００４６】
尚、実施例では三段の棚２４を備えたショーケース１について説明したが、棚の段数はそれに限られないものである。
【図面の簡単な説明】
【００４７】
【図１】本発明を適用したショーケースの正面図である。
【図２】図１のショーケースの縦断側面図である。
【図３】図１のショーケースの下のダンパー装置部分の拡大断面図である（ダンパーにより透孔を開放した状態）。
【図４】図１のショーケースの下のダンパー装置部分の拡大断面図である（ダンパーにより透孔を閉塞した状態）。
【図５】図１のショーケースのダンパー装置部分の拡大斜視図である。
【図６】図５のダンパー装置の分解斜視図である。
【符号の説明】
【００４８】
１  ショーケース
２  断熱壁
３  仕切板
４  デッキパン
６  冷気ダクト
７  陳列室
９  冷気吐出口
１１  冷気吸込口
１２  送風機
１３  冷却器
２４  棚
２６  棚ダクト
２７  棚下冷気吐出口
２９  連通路
３１  ダンパー装置
３２  受け部材
３２Ｃ  爪
３３  ダンパー
３３Ｂ  突出辺
３４  リンク機構
３６  摘み
３７  透孔
４２  カラー
４４  溝
４４Ａ、４４Ｂ  保持部
【図１】
2005156034.tif 000003
【図２】
2005156034.tif 000004
【図３】
2005156034.tif 000005
【図４】
2005156034.tif 000006
【図５】
2005156034.tif 000007
【図６】
2005156034.tif 000008